(57)【要約】【課題】結び目が作り易く、かつ、解け難く、一挙動の操作で所要の締結状態に紐をロックすることができ、舌片が位置ずれしにくく、外観的にも好ましい靴を提供することである。【解決手段】靴本体のはき口１の切欠部２の対向する側縁部３、３に、１列の紐孔４を設け、前記切欠部２を塞ぐ舌片５を取付け、前記紐孔群の上方より１番目と２番目に紐７を挿通して対のループ８、８を設け、この両ループをフック９で係止して紐７を所要の締結状態にロックできるようにした。また、前記舌片５上部の、前記両側縁部１番目の紐孔間を結ぶ紐下の中央部に、脱落防止紐通し片１０を設け、前記紐を横方向に挿通して結び目を作成可能にした。【選択図】　図１
2004089545.tif 000002
【特許請求の範囲】
【請求項１】
靴本体のはき口切欠部の対向する両側縁部に、１列の紐孔群をそれぞれ設け、前記切欠部を塞ぐ舌片を取付け、前記紐孔群の上方より１番目と２番目の紐孔に紐を挿通して対のループを設け、この両ループをフックで係止して紐を所要の締結状態にロック可能とした靴。
【請求項２】
前記舌片上部の前記両側縁部１番目の紐孔間を結ぶ紐下の中央部に、脱落防止紐通し片を設け、前記紐を横方向に挿通して結び目を作成可能とした請求項１に記載の靴。
【請求項３】
前記舌片上部の前記両側縁部１番目の紐孔間を結ぶ紐下の中央部に、上部より下部に向けて、並列の切れ込みによる脱落防止紐通し帯を設け、前記紐を横方向に挿通して結び目を作成可能とした請求項１に記載の靴。
【請求項４】
前記紐通し片を覆う舌片カバーを設けた請求項２〜３に記載の靴。
【請求項５】
前記紐孔群の上方より１番目と２番目の紐孔を、複数組並列して設けた請求項１〜４のいずれかに記載の靴。
【請求項６】
前記紐孔群の上方より１番目の紐孔を靴下部に向けて、１列に複数個設けた請求項１〜４のいずれかに記載の靴。
【発明の詳細な説明】
【０００１】
【発明の属する技術分野】
この発明は、一挙動の操作で所要の締結状態に紐をロックすることができ、紐締度合いの調整が簡単にでき、又着脱が容易にできる紐付きの靴に関する。
【０００２】
【従来の技術】
従来この種の靴には、通常スニーカと呼ばれる甲皮にキャンパス地等を用いゴムの裏底をつけた軽量のものが広く普及している。
【０００３】
ところが、この種の靴は、着用の際に靴紐を引寄せて蝶結び目を作らなければならず、ある種の熟練を要するため、幼児や低学年の児童には難しいことがあり、緩く結ぶと行動中に解けやすく、解けた紐端を踏みつけて転倒したり、靴が脱げることがあり、また、スニーカ等のフィット感の良さが体感できない等の問題点がある。
【０００４】
さらに、従来の靴は、舌片を固定状態にし難く、着用時に、足と共に舌片が巻き込まれて位置ずれが生じ易く、外観上体裁が悪くこれを直すのに手間がかかる等の難点がある。
【０００５】
また、靴紐に代えて、はき口の切欠部に、対向する面ファスナを取付けた靴もあるが、外側甲皮と内側甲皮とが重なり合うため、厚み感が大き過ぎてフィット感が悪く、面ファスナの止着面の中にごみが入り易く、止着性も鈍化してくる等の欠点がある。
【０００６】
【発明が解決しようとする課題】
そこで、この発明の課題は、結び目が作りやすく、かつ、解けにくく、子供でも一挙動の操作で所要の締結状態に紐をロックすることができ、舌片が位置ずれしにくく、また、外観的にも好ましい靴を提供することである。
【０００７】
【課題を解決するための手段】
上記の課題を解決するために、この発明においては、靴本体のはき口切欠部の対向する側縁部に、１列の紐孔群をそれぞれ設け、前記切欠部を塞ぐ舌片を取付け、前記紐孔群の上方より１番目と２番目に紐を挿通して対のループを設け、この両ループをフックによって係止し、紐を所要の締結状態にロック可能にしたのである。
【０００８】
前記舌片上部の両１番目間の紐孔を結ぶ紐下の中央部に脱落防止紐通し片を設け、前記紐を横方向に挿通して結び目を作成可能にしておくのがよい。また、前記舌片前記位置に、上部より下部に向けて並列の切れ込みの帯を設けることによることもできる。この紐通し片を覆う舌片カバーを設けておくのが好ましい。前記紐孔群の上方より１番目と２番目の紐孔を、複数組並列して設けておくことができる。また、前記紐孔群の上方より１番目の紐孔を靴下部に向けて、１列に複数個設けておくことができる。
【０００９】
【作用】
結び目の紐の両端を引っ張ると、簡単に締め付けをきつくすることができ、紐の両端を持ち上げるようにすると、簡単に結び目は緩む。好みの状態になるように調節したら結び目はそのままで、フックの脱着のみで足の出し入れを円滑に行える。
【００１０】
舌片上の紐通し片と一体化した結び目により、舌片の脱落もズレも防止することができる。さらに舌片カバーを設けると結び目を覆いかくすことができる。
【００１１】
【発明の実施の形態】
以下、この発明の実施形態を添付図面に基づいて説明する。図１、図２及び図３に示すように、靴本体のはき口１の前方切欠部２の対向する側縁部３、３に、リングで補強した１列の鳩目状紐孔４が設けられ、切欠部２を塞ぐ甲皮と共布の舌片５が前方の横ミシン糸目６で縫付けられている。
【００１２】
前記紐孔群の上方より１番目と２番目の紐孔に紐７を挿通して対のループ８、８が形成され、この両ループに硬質プラスチック成形品又はステンレス等からなる略Ｔ字形状フック９が取付けられ、紐７が所要の締結状態にロック可能になっている。
【００１３】
前記舌片５の上面中央部には、厚手のキャンパス地等からなる略長方形状紐通し片１０が、上下端縁をミシン糸目１１、１１（図３参照）によって縫付けられ、この紐通し片１０を覆うように、舌片カバー１２が上縁ミシン糸目１３で起伏自在に縫付けられており、この舌片カバー１２によって、紐通し片１０及びここに作成した結び目Ａ（詳細後述）が見えない（図３参照）よう、覆うことができるようになっている。
【００１４】
舌片上の紐通し片１０には、相当な力が加わるので、ある程度の強度が必要である。また、サイズは縦１５ｍｍ程度，横１０ｍｍ程度で厚みは０．５ｍｍ程度、素材はナイロンベルトが望ましい。舌片上の紐通し片１０は結び目と一体化しているので、ズレや脱落することがない。また、紐通し片にかえて、舌片に直接並列の切れ込みによる帯で対応することもできる。
【００１５】
前記フック９は、基部の貫孔１４に片方のループ８の紐を摺動自在に挿通して取付けられ、略Ｔ字形状の両端が鉤状に曲がっており、他方のループ８に引掛けやすく、また容易に脱落することもない。フック９には、先端にナイロンベルト製等のつまみ片を取付けておくと、子供でも引寄せやすくロックしやすい。このフック９は、略Ｔ字形状や略ｅ字形状を適宜選択することができる。
【００１６】
前記舌片カバー１２をミシン糸目１３から起立させ、左右の紐７を紐通し片１０に逆方向に挿通して交差反転させ、紐通し片１０の上側で、帯締めのように２回交差させた結び目Ａを作成し、その後舌片カバー１２を倒して結び目Ａや紐通し片１０を覆うことによって、靴紐７の端部の締結が終る。この舌片カバー１２は、舌片５と共布で反転しやすくするため、比較的薄地で、かつ、舌片５より小型に形成されている。なお、この舌片カバー１２は、用途に対応して省略することもできる。
【００１７】
前記結び目Ａは、紐通し片１０の下側と上側で紐７がそれぞれ交差しているため、紐７と紐通し片１０とが一体となっており、予め丁寧にしっかりと結び目が作られているため簡単な結び方でも解けにくい利点がある。
【００１８】
さらに、舌片５は、中央の結び目用紐通し片１０を介して紐７に固定されているため、足を入れる際に巻き込まれて位置ずれするようなことが全くない。
【００１９】
また、前記紐孔４は、鳩目状のほか、短管状の紐孔とすることができ、紐７として、平紐を用いると、結び目は解けにくく、また結び目がコンパクトになり、舌片カバーで結び目付近全体が覆いやすくなる。丸紐を用いることもできる。結び目を作り紐端をカットし、解れないように、先端処理をしておくと良い。
【００２０】
図４（Ｂ）は、切欠部１５の対向する側縁部１６、１６に、リングで補強された１列の鳩目状紐孔１７を設け、上方から１番目と２番目のループ用紐孔１７、１７の外側に、これらと並列に方眼状の４個のループ用紐孔１８を設けた実施形態を示している。
【００２１】
この実施形態では、上方より１番目と２番目との紐孔に紐を挿通してループ１９を作る際、外位、中位、内位の紐孔に適宜変更することによって、足首の太さの個人差に対応してはき口切欠部のゆるみ度合いを任意に調整することができる。なお、紐孔群の上方より１番目と２番目のループ作成用紐孔は、ループ位置替え用として、上述のように、２×３に設けるほか、用途に対応して２×２、２×４等適宜の複数組に並設することもできる。また、図４（Ａ）のように紐孔群の上方より、１番目の紐孔を靴下部に向けて１列に複数個設けることもできる。
【００２２】
図５は、紐付きブーツ形式の靴を示す。図示のように、くるぶしまでの足甲皮面切欠部２０の対向する側縁部２１、２１に、１列の紐孔２２が設けられ、この紐孔群の上方より１番目と２番目とに紐を挿通して対のループ２３が形成され、これらのループ２３、２３に略Ｔ字形状フック２４を係止して、靴の中間部を絞るようにしてある。
【００２３】
さらに、くるぶしより上部の脚甲皮面切欠部２５の対向する側縁部２６、２６に、１列の紐孔２７が設けられ、この紐孔群の上方より１番目と２番目とに紐を挿通して対のループ２８、２８が形成され、これらのループ２８、２８にフック２９を係止して、靴のはき口上端部で絞るようにしてある。このように、２段締結式にすることもできる。
【００２４】
なお、はき口前方切欠部２０、２５には、図１と同様に、長めの舌片３０が設けられ、この舌片３０の上面に紐通し片３１が取付けられ、上端縁のミシン糸目３２を介して舌片カバー３３が設けられている。
【００２５】
従来、この種のブーツ形式の靴では、長い紐の取扱いが大変であり、多数の紐孔に挿通した紐を１つ１つ緩めたり締めたりしなければならず、また、履いた後、長い紐端の処理に手間取ることがある等の問題点があったが、この発明では、２個所のロック用フックを着脱させるだけの簡単な操作で靴を履いたり脱いだりすることができ、着用後の紐端は舌片カバー内に小さく収納されており、外観上体裁がよい等の利点を有する。
【００２６】
【発明の効果】
この発明によれば、以上のように、予め履きやすい開口部を保持できる長さに靴紐を舌片内部で結んでおくだけでよく、着用時に、フックを対のループに渡す一挙動の簡単な操作で紐の締結状態を保持できる。
【００２７】
このため、特に子供靴として最適であり、結び目や紐端が舌片カバーで覆われて見えず外観上体裁がよく、結び目用紐通し片または帯を介して舌片が紐に固定されていて位置ずれすることはない。
【００２８】
また、締め紐をロックするためのループが１番目と２番目の紐孔で作られており、このループを引寄せると２列の紐孔群にわたり締結力が加わり、はき口の締結状態が確実なものとなる。
【００２９】
さらに、紐孔群の上方より１番目と２番目のループ作成用紐孔を、複数組に並設したもの又は１番目のループ作成用紐孔を靴下部に向けて１列に複数個設けたものでは、足首の太さの個人差に対応できて便利である。
【００３０】
加えて、脚部の長いブーツ形式の靴でも、複数の要所に対のループを設けてフックでロックするようにすると、靴の着脱操作が極めて容易となり履きやすいものとなる等の多くの効果がある。
【図面の簡単な説明】
【図１】この発明の靴の一例を示す斜視図
【図２】同上の切欠部を示す一部切欠平面図
【図３】図２のイ−イ線に沿った拡大断面図
【図４】（Ａ）〜（Ｂ）は紐孔部例の平面図
【図５】この発明のさらに他の例を示す斜視図
【符号の説明】
Ａ　結び目
１　はき口
２、１５、２０、２５　切欠部
３、１６、２１、２６　側縁部
４、１７、１８、２２、２７　紐孔
５、３０　舌片
６、１１、１３、３２　ミシン糸目
７　紐
８、１９、２３、２８　ループ
９、２４、２９　フック
１０、３１　紐通し片
１２、３３　舌片カバー
１４　貫孔
【図１】
2004089545.tif 000003
【図２】
2004089545.tif 000004
【図３】
2004089545.tif 000005
【図４】
2004089545.tif 000006
【図５】
2004089545.tif 000007